【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
レーザビームで感光体の表面を走査して静電潜像を形成し画像形成する画像形成装置であって、
周波数の異なる高速クロックと低速クロックとを生成する生成手段と、
前記低速クロックに従ってレーザビームを主走査方向にスキャンするスキャン手段と、
前記スキャン手段でスキャンされたレーザビームを検知する検知手段と、
前記検知手段からの検知信号を前記高速クロックで受信する第１のシフトレジスタ手段と、
前記低速クロックに同期して前記第１のシフトレジスタ手段のパラレル出力を入力して、前記レーザビームの検知タイミングを、前記低速クロックに同期した検知信号と前記高速クロックによるシフト数に対応する値とにより出力する出力手段とを有することを特徴とする画像形成装置。
【請求項２】
前記検知信号の検知から前記感光体の表面の画像書き出し位置までのレーザビームの書き出し時間を、前記低速クロックのクロック数と前記高速クロックのクロック数とで保持する保持手段と、
前記保持手段に保持された前記高速クロックのクロック数と、前記出力手段から出力された前記高速クロックによるシフト数に対応する値とに基づいて、前記低速クロックから、画像データによる前記レーザビームの駆動開始までの遅延量を示すビットシフト値を算出する算出手段と、
第２のシフトレジスタ手段と、
前記低速クロックに同期して前記ビットシフト値を前記第２のシフトレジスタ手段に出力するビットシフト手段と、
を備えており、
前記第２のシフトレジスタ手段は、前記ビットシフト値に対応する前記高速クロックの数だけ遅延させて、レーザ駆動信号を出力することを特徴とする請求項１に記載の画像形成装置。
【請求項３】
前記算出手段は、前記ビットシフト値による高速クロックの遅延と、前記高速クロックによるシフト数に対応する値による前記検知信号から前記低速クロックまでの遅延との和が、前記保持手段に保持された前記高速クロックのクロック数となるように、前記ビットシフト値を算出することを特徴とする請求項２に記載の画像形成装置。
【請求項４】
レーザビームで感光体の表面を走査して静電潜像を形成し画像形成する画像形成装置のＢＤ検出部であって、
周波数の異なる高速クロックと低速クロックとを生成する生成手段と、
前記低速クロックに従ってレーザビームを主走査方向にスキャンするレーザビームを検知した検知信号を、前記高速クロックで受信する第１のシフトレジスタ手段と、
前記低速クロックに同期して前記第１のシフトレジスタ手段のパラレル出力を入力して、前記レーザビームの検知タイミングを、前記低速クロックに同期した検知信号と前記高速クロックによるシフト数に対応する値とにより出力する出力手段とを有することを特徴とする画像形成装置のＢＤ検出部。
【請求項５】
レーザビームで感光体の表面を走査して静電潜像を形成し画像形成する画像形成装置のレーザ駆動部であって、
周波数の異なる高速クロックと低速クロックとを生成する生成手段と、
第２のシフトレジスタ手段と、
前記低速クロックに同期して、前記低速クロックから、画像データによる前記レーザビームの駆動開始までの遅延量を示すビットシフト値を前記第２のシフトレジスタ手段に出力するビットシフト手段と、
を備えており、
前記第２のシフトレジスタ手段は、前記ビットシフト値に対応する前記高速クロックの数だけ遅延させて、レーザ駆動信号を出力することを特徴とする画像形成装置のレーザ駆動部。
【請求項６】
周波数の異なる高速クロックと低速クロックとで動作し、レーザビームで感光体の表面を走査して静電潜像を形成し画像形成する画像形成装置の制御部であって、
当該画像形成装置の水平同期信号（ＢＤ信号）の検知から前記感光体の表面の画像書き出し位置までのレーザビームの書き出し時間を、前記低速クロックのクロック数と前記高速クロックのクロック数とで保持する保持手段と、
前記保持手段に保持された前記高速クロックのクロック数と、レーザビームの検知タイミングを表わす前記高速クロックによるシフト数に対応する値とに基づいて、前記低速クロックから、画像データによる前記レーザビームの駆動開始までの遅延量を示すビットシフト値を算出する算出手段と有することを特徴とする画像形成装置の制御部。
【請求項７】
前記算出手段は、前記ビットシフト値による高速クロックの遅延と、前記高速クロックによるシフト数に対応する値による前記ＢＤ信号から前記低速クロックまでの遅延との和が、前記保持手段に保持された前記高速クロックのクロック数となるように、前記ビットシフト値を算出することを特徴とする請求項６に記載の画像形成装置の制御部。
【手続補正２】
【補正対象書類名】明細書
【補正対象項目名】０００９
【補正方法】変更
【補正の内容】
【０００９】
ここで、検知信号の検知から感光体の表面の画像書き出し位置までのレーザビームの書き出し時間を、前記低速クロックのクロック数と前記高速クロックのクロック数とで保持する保持手段と、前記保持手段に保持された前記高速クロックのクロック数と、前記出力手段から出力された前記高速クロックによるシフト数に対応する値とに基づいて、前記低速クロックから、画像データによる前記レーザビームの駆動開始までの遅延量を示すビットシフト値を算出する算出手段と、第２のシフトレジスタ手段と、前記低速クロックに同期して前記ビットシフト値を前記第２のシフトレジスタ手段に出力するビットシフト手段とを備えており、前記第２のシフトレジスタ手段は、前記ビットシフト値に対応する前記高速クロックの数だけ遅延させて、レーザ駆動信号を出力することを特徴とする。また、前記算出手段は、前記ビットシフト値による高速クロックの遅延と、前記高速クロックによるシフト数に対応する値による前記検知信号から前記低速クロックまでの遅延との和が、前記保持手段に保持された前記高速クロックのクロック数となるように、前記ビットシフト値を算出する。
【手続補正３】
【補正対象書類名】明細書
【補正対象項目名】００１１
【補正方法】変更
【補正の内容】
【００１１】
また、本発明の画像形成装置のレーザ駆動部は、レーザビームで感光体の表面を走査して静電潜像を形成し画像形成する画像形成装置のレーザ駆動部であって、周波数の異なる高速クロックと低速クロックとを生成する生成手段と、第２のシフトレジスタ手段と、前記低速クロックに同期して、前記低速クロックから、画像データによる前記レーザビームの駆動開始までの遅延量を示すビットシフト値を前記第２のシフトレジスタ手段に出力するビットシフト手段とを備えており、前記第２のシフトレジスタ手段は、前記ビットシフト値に対応する前記高速クロックの数だけ遅延させて、レーザ駆動信号を出力することを特徴とする。
【手続補正４】
【補正対象書類名】明細書
【補正対象項目名】００１２
【補正方法】変更
【補正の内容】
【００１２】
また、本発明の画像形成装置の制御部は、周波数の異なる高速クロックと低速クロックとで動作し、レーザビームで感光体の表面を走査して静電潜像を形成し画像形成する画像形成装置の制御部であって、当該画像形成装置の水平同期信号（ＢＤ信号）の検知から感光体の表面の画像書き出し位置までのレーザビームの書き出し時間を、前記低速クロックのクロック数と前記高速クロックのクロック数とで保持する保持手段と、前記保持手段に保持された前記高速クロックのクロック数と、レーザビームの検知タイミングを表わす前記高速クロックによるシフト数に対応する値とに基づいて、前記低速クロックから、画像データによる前記レーザビームの駆動開始までの遅延量を示すビットシフト値を算出する算出手段と有することを特徴とする。
【手続補正５】
【補正対象書類名】明細書
【補正対象項目名】００１３
【補正方法】変更
【補正の内容】
【００１３】
ここで、前記算出手段は、前記ビットシフト値による高速クロックの遅延と、前記高速クロックによるシフト数に対応する値による前記ＢＤ信号から前記低速クロックまでの遅延との和が、前記保持手段に保持された前記高速クロックのクロック数となるように、前記ビットシフト値を算出する。
【手続補正６】
【補正対象書類名】明細書
【補正対象項目名】００４２
【補正方法】変更
【補正の内容】
【００４２】
本実施形態では、図３のタイミング信号生成部２０４で、書き出し時間３１０に対応し、制御部２０２が記憶部２０３から画像データを読み出すまでの時間を考慮する。本実施形態では更に、ＢＤ検出部３０２で位相データ２０４ａを取得し、かかる位相データ２０４ａを参照してレーザ駆動部２０５におけるレーザ駆動を制御するビットシフト値２０４ｂを算出してレーザ駆動部２０５に設定する。なお、図３では、書き出し時間３１０，位相データ２０４ａ及びビットシフト値２０４ｂを、タイミング信号生成部２０４が保持するように説明したが、これに限定されず、制御部２０２や記憶部２０３に保持されてもよい。
【手続補正７】
【補正対象書類名】明細書
【補正対象項目名】００４５
【補正方法】変更
【補正の内容】
【００４５】
次に、ステップＳ４０５２で、予め設定された書き出し時間（ディレイ時間）３１０と取得された位相データ２０４ａとから、以下の図７及び図８で詳説するレーザ駆動部２０５に設定するためのビットシフト値２０４ｂを算出する。